(57)【特許請求の範囲】
【請求項１】
天狗面の面本体に眉毛、髭、鼻を可動部として装着した装飾品であって、
前記眉毛及び髭は、松ぼっくりから分離した松ぼっくり片を用いて、前記松ぼっくりの中心軸部に繋がっていた基部側が前記面本体に固定されることで、前記基部を基点に前記面本体の面方向に可動するよう配置する一方、
前記鼻は、前記面本体に固定され且つ松ぼっくり片の基部で構成された鼻付根を一端に有して成る
ことを特徴とする装飾品。
【発明の詳細な説明】
【０００１】
【発明の属する技術分野】
本発明は、観賞用の置物として使用される民芸品等の装飾品に係り、特に、その一部分が環境状態（湿度の高低）の変化により可動する装飾品に関する。
【０００２】
【従来の技術】
従来より、観賞用の置物として使用される装飾品には、木等の自然界に存在する材料を加工して作製することが行われている。この装飾品は、例えば、木片等を組み合わせることにより、胴体部分に頭部や手足を装着して動物等の外観に似せた形にするものである。
【０００３】
【発明が解決しようとする課題】
このような装飾品において、胴体部分に装着される手足部分は、環境変化により可動するように構成されていない。また、環境変化で可動するように構成するためには、環境変化を検知するセンサと可動させるための動力源が必要となる。
【０００４】
本発明は上記実情に鑑みてなされたもので、動力源を使用することなく、環境変化によりその一部分が可動する構造の装飾品を提供することを目的としている。
【０００５】
【発明が解決するための手段】
上記目的を達成するため請求項１の装飾品は、天狗面の面本体に眉毛、髭、鼻を可動部として装着した装飾品であって、前記眉毛及び髭は、松ぼっくりから分離した松ぼっくり片を用いて、前記松ぼっくりの中心軸部に繋がっていた基部側が前記面本体に固定されることで、前記基部を基点に前記面本体の面方向に可動するよう配置する一方、前記鼻は、前記面本体に固定され且つ松ぼっくり片の基部で構成された鼻付根を一端に有して成ることを特徴としている。
【０００８】
本発明によれば、湿度変化により松ぼっくり片が反ったり締まったりする性質を利用し、環境変化に応じて装飾品の一部分が繰り返し可動する構造を得ることができる。
また、複数の松ぼっくり片を繋げて可動部とすることにより、可動の変化を大きくすることができる。
【０００９】
【発明の実施の形態】
本発明の実施の形態の一例としての装飾品について、図面を参照しながら説明する。松ぼっくり１０は、図１に示すように、その中心軸部１１の周囲に多段的に複数の松ぼっくり片１２が連結した構造となっている。
そして、この松ぼっくり１０は、乾燥している（湿度低い）場合は図１（ａ）に示すように、松ぼっくり片（羽根）１２が開く（反る）ことにより、全体が大きく見えるようになる。各松ぼっくり片１２は、中心軸部１１に対する連結位置により大きさ及び変形（反り）具合が異なっている。
また、松ぼっくり１０は、水分を含む（湿度高い）場合は図１（ｂ）に示すように、松ぼっくり片（羽根）１２が隙間なく締まる（閉じる）ことにより、その先端部分のみが表面に表れるようになって全体が小さく見えるようになる。
【００１０】
乾燥時から水分を含む場合への変形は、例えば乾燥している状態の松ぼっくりを水に浸す等で行う場合、２０分から４０分程度の時間を要する。また、水分を含む場合から自然放置させて乾燥時の形状とするには、更に時間を要するものである。
【００１１】
上記した乾湿（湿度の高低差）により松ぼっくり片（素子）１２が開閉するという性質は、松ぼっくり１０が親木から離れた状態でも持続するとともに、松ぼっくり１０から各素子１２を分離した場合であっても、各素子１２において有するものである。
すなわち、乾燥時の松ぼっくり片１２は、図２（ａ）に示すように、松ぼっくり１０の中心軸部１１に繋がる基部１３から少し上がった部位１４で内側１２ｂから外側１２ａに折れ曲がることにより反った状態で変形している。また、水分を含んだ時には、前記した部位１４が基部１３及び先端部１５に対して直線状となり（図２（ｂ））、更に反対側（内側）に反る（図２（ｃ））。
【００１２】
したがって、松ぼっくり片１２の大小、変形（反り）の大小、表裏を組み合わせて装飾品を作成することにより、その外観形状に湿度の高低に対して種々の変形効果を得ることが可能となる。
【００１３】
次に、松ぼっくり片を使用して亀の装飾品２０を作成した具体例について、図３を参照しながら説明する。
亀の甲羅部分に相当する胴体本体２１は、竹等の素材で形成されている。この胴体本体２１に対して、松ぼっくり片１２を削る等で整形して構成された首２２、尾２３、手足２４，２４，２４，２４を装着し、首２２には竹等の素材で形成された頭部２５が装着されている。首２２及び尾２３については、松ぼっくり片１２の内側１２ｂが上面になるように、手足２４は松ぼっくり片１２の外側１２ａが上面になるように、整形された松ぼっくり片１２の各基部１３を胴体本体２１に接着して固定する。
また、胴体本体２１には甲羅模様が描かれ、頭部２５にはガラスやビ−ズ等で構成された目が装着されている。
【００１４】
上記構成により、乾燥時においては、各松ぼっくり片１２が図２（ａ）の状態になるため、亀全体としては図３（ａ）に示すように、胴体本体２１に対して首２２及び尾２３が下がり、手足２４が上がった状態となる。
亀全体を水に浸す（胴体本体まで水につける）等により松ぼっくり片に水分を含ませると、各松ぼっくり片１２が図２（ｂ）の状態になるため、図３（ｂ）に示すように、胴体本体２１に対して首２２及び尾２３がはね上がり、手足２４が下がった状態となり、水中で立ち上がるような形状となる。
【００１５】
続いて、松ぼっくり片１２を使用して天狗面の壁掛け装飾品３０を作成した具体例について、図４を参照しながら説明する。
竹等の素材で形成された面本体３１に目３２、口３３、髪部分３４を描き、松ぼっくり片１２を削る等で整形して構成した眉毛３５及び髭３６を、松ぼっくり片の基部１３側が面本体３１の中央側になるように所望部分に接着して固定する。鼻３７は竹等の素材で形成し、その一端部分に形成された孔に、松ぼっくり片で構成した鼻付根３８をはめ込んで接着することにより挿入固定し、この鼻付根３８の基部１３が面本体３１に固定されている。鼻付根３８は、松ぼっくり片において折り曲がる部位を残して切断（例えば図２の切断線３９で切断）し、基部１３側を使用する。
【００１６】
上記構成により、乾燥時においては、各松ぼっくり片１２が図２（ａ）の状態になるため、図４（ａ）に示すように、眉毛３５及び髭３６が固定されている基部１３を基点として反り上がる。また、鼻付根３８が反ることにより、その先端側に装着された鼻３７がはね上がり、厳めしい表情の天狗面となる。
湿度が増して松ぼっくりが水分を含んだ場合、各松ぼっくり片１２が図２（ｂ）の状態になるため、図４（ｂ）に示すように、眉毛３５、髭３６及び鼻付根３８の反りが解消され、穏やかな表情の天狗面に変化する。
【００１７】
図４（ａ）（ｂ）では、天狗面における乾湿の両極の表情を示したが、その間の経過時間により色々な表情が観察できる。また、鼻３７、眉毛３５、髭３６の動きにしたがった指示目盛り、色分けなどを行えば、環境状態（湿度）の目安表示とすることができる。
【００１８】
次に、松ぼっくり片１２を使用してトンボの装飾品４０を作成した具体例について、図５を参照しながら説明する。
竹等の素材で形成された胴体本体４１に、松ぼっくり片１２を整形して構成された首４２、一対の羽根４３、４３、尾４４が接着により装着されている。羽根４３には、松ぼっくり片１２の基部１３側を残すように先端側から割れ目４５が形成されている。尾４４は、複数の松ぼっくり片１２を連結させて構成されている。
首４２及び尾４４については、松ぼっくり片１２の外側１２ａが上面になるように、羽根４３は松ぼっくり片１２の内側１２ｂ部分が上面になるように、各基部１３を胴体本体４１に接着して固定する。
また、胴体本体４１、首４２、羽根４３、尾４４にはそれぞれ色又は模様が描かれている。
【００１９】
上記構成により、乾燥時においては、各松ぼっくり片１２が図２（ａ）の状態になるため、トンボ全体としては図５（ａ）に示すように、胴体本体４１に対して首４２及び尾４４が上がり、羽根４３は割れ目４５を有していることにより４枚羽根となる。
湿度が高くなったり松ぼっくり片に水分を含ませたりすると、各松ぼっくり片１２が図２（ｂ）の状態になるため、図５（ｂ）に示すように、胴体本体４１に対して首４２及び尾４４が下を向き、羽根４３については割れ目４５が閉じるとともに上へはね上がる。
【００２０】
次に、松ぼっくり片１２を使用して孔雀の装飾品５０を作成した具体例について、図６を参照しながら説明する。
松ぼっくり１０で形成された胴体本体５１に、複数の松ぼっくり片１２を繋げて作成した尾羽根５２が複数個装着されている。尾羽根５２は、図７に示すように、複数の各松ぼっくり片１２を長手方向に基部１３と先端部１５とを接着することにより繋げ、孔雀の胴体本体側に松ぼっくり片１２の外側１２ａが向くように装着されている。
【００２１】
また、胴体本体５１の松ぼっくりの中心軸部５３には、首部５４が装着されている。この首部５４は、図８に示すように、竹等で構成した棒状の基部素材５５に対して、複数の松ぼっくり片１２が下向きとなるように、その内側１２ｂの基部１３を基部素材５５の周囲表面の数箇所に接着し、基部素材５５の表面が隠れるようにしている。
【００２２】
また、基部素材５５の先端には、頭部を上方から見た図９に示すように、顔形に整形された一対の松ぼっくり片１２の内側１２ｂの基部１３同士を接着して形成された頭部５６を装着している。頭部５６の頂部には、小さいトサカ形の松ぼっくり片１６が装着されている。この松ぼっくり片１６は、松ぼっくりを構成する場合に内側となる側（図２における内側部分１２ｂ）が下側となるように装着されている。
【００２３】
胴体本体５１の下側には、針金等の細線で形成された一対の脚部５７が装着され、この脚部５７は松ぼっくりで形成された尾羽根５２の開閉動作を妨げない位置に設けられている。各脚部５７の先端には、孔雀全体を支える足部５８が松ぼっくり片や木片等で形成されている。
【００２４】
上記構成により、乾燥時においては、松ぼっくり１０及び各松ぼっくり片１２が図１（ａ）及び図２（ａ）の状態（開き状態）になるため、図６（ａ）に示すように、頭部５６を上げているように見えるとともに、トサカ（松ぼっくり片１６）が立ち、尾羽根５２が全て上方に反り立ち、胴体本体５１の松ぼっくり片１２も開いた状態となっている。
湿度が高くなったり松ぼっくり片１２に水分を含ませたりすると、松ぼっくり１０及び各松ぼっくり片１２が図１（ｂ）及び図２（ｂ）の状態（閉じ状態）になるため、図６（ｂ）に示すように、頭部５６を下げているように見えるとともに、トサカ（松ぼっくり片１６）が後方に寝て、尾羽根５２が全て下方に反り下り、胴体本体５１の松ぼっくり片１２は締まって（閉じて）小さい卵型の状態となる。
この例では、複数の松ぼっくり片１２を繋げて尾羽根５２としているので、乾湿の変化により尾羽根５２の全体の可動変化を大きくすることができる。
【００２５】
上述した各例では、松ぼっくり片を可動部に使用した各種装飾品について説明したが、松ぼっくり片を使用して複数種類の動植物の装飾品を作成し、これらを基板（図示せず）上に載置することにより箱庭とすることもできる。この場合、乾湿の変化により情景変化を有する箱庭を得ることができる。
【００２６】
【発明の効果】
本発明によれば、湿度変化により松ぼっくり片が反ったり締まったりする性質を利用し、湿度の高低による環境変化に応じて装飾品の一部分が繰り返し可動する構造とすることができ、動力源を使用することなく可動部分を有する装飾品を得ることができる。
【００２７】
また、複数の松ぼっくり片を繋げて可動部とすることにより、可動の変化の大小を調節することができる。
【図面の簡単な説明】
【図１】（ａ）（ｂ）は本発明の装飾品に使用する松ぼっくりの外観説明図であり、（ａ）は乾燥した状態、（ｂ）は水分を含んだ状態を示すものである。
【図２】（ａ）（ｂ）（ｃ）は本発明の装飾品に使用する松ぼっくり片の外観説明図であり、（ａ）は乾燥した状態、（ｃ）は水分を含んだ状態，（ｂ）は乾湿変化の途中の状態をそれぞれ示すものである。
【図３】（ａ）（ｂ）は本発明の実施の形態の一例として亀の装飾品を示すもので、（ａ）は乾燥した状態、（ｂ）は水分を含んだ状態を示すものである。
【図４】（ａ）（ｂ）は本発明の実施の形態の一例として天狗面の装飾品を示すもので、（ａ）は乾燥した状態、（ｂ）は水分を含んだ状態を示すものである。
【図５】（ａ）（ｂ）は本発明の実施の形態の一例としてトンボの装飾品を示すもので、（ａ）は乾燥した状態、（ｂ）は水分を含んだ状態を示すものである。
【図６】（ａ）（ｂ）は本発明の実施の形態の一例として孔雀の装飾品を示すもので、（ａ）は乾燥した状態、（ｂ）は水分を含んだ状態を示すものである。
【図７】孔雀の装飾品において、複数の松ぼっくりの連結させて構成する尾羽根部分の外観説明図である。
【図８】孔雀の装飾品における首部及び頭部の構成を示す外観説明図である。
【図９】孔雀の装飾品における頭部の構成を上方から見た平面説明図である。
【符号の説明】
１０…松ぼっくり、  １２…松ぼっくり片、  １３…基部、
２０…装飾品（亀）、  ２１…胴体本体、
２２…首、  ２３…尾、  ２４…手足、
３０…装飾品（天狗面）、  ３１…面本体、  ３５…眉毛、
３６…髭、  ３８…鼻付根、
４０…装飾品（トンボ）、  ４１…胴体本体、  ４２…頭部、
４３…羽根、  ４４…尾、
５０…装飾品（孔雀）、  ５１…胴体本体、  ５２…尾羽根、
５４…首部、  ５５…基部素材、  ５６…頭部
【図１】
0003825946.tif 000002
【図２】
0003825946.tif 000003
【図３】
0003825946.tif 000004
【図４】
0003825946.tif 000005
【図５】
0003825946.tif 000006
【図６】
0003825946.tif 000007
【図７】
0003825946.tif 000008
【図８】
0003825946.tif 000009
【図９】
0003825946.tif 000010